(57)【特許請求の範囲】
【請求項１】
筺体の下部に開口する吹出部に、前後もしくは上下方向に分割された風向板を回転可能に配置し、運転停止時には前部風向板と後部風向板を介して吹出部を封鎖し、運転時には前部風向板と後部風向板を所定の角度に開放する空気調和機において、
前部風向板を、回転支持部を有するベース部と、このベース部の閉じた状態の表面に取り付けられる透明部とを含んで構成し、
前記透明部は、前部風向板の回動する先端部側をベース部の先端部より張り出して形成され、
前記ベース部と重ねられる前記透明部の裏面に不透明処理部を有することを特徴とする
空気調和機。
【請求項２】
請求項１記載の空気調和機において、
前記ベース部は、前記透明部の投影面積内に収まる大きさを備えている
ことを特徴とする空気調和機。
【請求項３】
請求項１記載の空気調和機において、
前記ベース部の回転軸側の端部に、この端部に沿って設けられた係合溝を有し、
前記透明部は、前記係合溝に一端を保持され、長手方向の両端部を前記ベース部に取り付ける固定部材を備える
ことを特徴とする空気調和機。
【請求項４】
請求項３記載の空気調和機において、
前記係合溝には、この係合溝を分断するように形成される複数のリブを設け、
前記透明部には、前記複数のリブと係合する凹み部または切欠部が
設けられている
ことを特徴とする空気調和機。
【請求項５】
請求項１記載の空気調和機において、
前記透明部の透明領域が、空気調和機の運転状態を表示する運転表示部を覆うことを
ことを特徴とする空気調和機。
【請求項６】
請求項１記載の空気調和機において、
前記透明部の裏面の不透明処理部が、風向板を支持する軸部等を見えないように覆う
ことを特徴とする空気調和機。
【請求項７】
請求項１記載の空気調和機において、
前記透明部の先端部に面取り部を有する
ことを特徴とする空気調和機。
【請求項８】
請求項１もしくは請求項３記載の空気調和機において、
前記透明部の先端部が直線以外の面取り部形状を有し、この面取の範囲に曲面を有する
ことを特徴とする空気調和機。
【請求項９】
請求項８記載の空気調和機において、
前記面取り部先端の曲面部の半径Ｒが先端になる程、小さくなる
ことを特徴とする空気調和機。
【発明の詳細な説明】
【技術分野】
【０００１】
本発明は、風向制御用の風向板を備えた空気調和機に関するものである。
【背景技術】
【０００２】
従来技術においては、室内機の設置空間への調和や意匠性を向上させるために、不透明または透明な風向板の表面に透過性を有する金属蒸着箔を加飾したものが提案されている。
【０００３】
また、従来技術においては、前方と下方に大きく開口した吹出部に、2枚の風向板を前後に設けることで、冷暖房の運転時には上下方向の風向制御を向上させ、停止時には吹出部を2枚の風向板で封鎖して意匠性を向上させたものがある。特に、この従来例においては、吹出部の上方を吸込部近傍まで拡大した上方拡大部を形成し、この上方拡大部を介して、前方の上方から微弱な風をふんわりと拡散させる冷房または暖房運転を行ったり、あるいは、この上方拡大部を介して、ショートサーキット運転させることで熱交換機の乾燥運転や内部の脱臭運転などを行うことができる。
【先行技術文献】
【特許文献】
【０００４】
【特許文献１】特開２００６−７８０８５号公報
【特許文献２】特開２００９−７９８４６号公報
【発明の概要】
【発明が解決しようとする課題】
【０００５】
前記従来例によれば、前方と下方に連続して大きく開放した吹出部を一対の風向板で覆うことで、機能性と意匠性を大きく向上することができる。しかし、この実施例では前方に大きく開放した前部風向板が、筺体に馴染んだ形態となる運転停止状態から、大きく開いて多様な運転状態を取り得る構造を備えているので、この動作時に利用者に圧迫感を与える課題がある。
【０００６】
また、前部風向板が収納される筺体の前面下部は、運転状態表示部や各種のセンサの配置面として有効な位置であることから、この前部風向板と運転状態表示部や各種のセンサの配置関係を工夫する必要がある。
【０００７】
そこで、この発明の目的とするところは、前部風向板の可動時の圧迫感を軽減しつつ、良好な風向制御と意匠性を向上させることができる空気調和機を提供することにある。
【課題を解決するための手段】
【０００８】
本発明に係る空気調和機では、前記目的を達成するために、筺体の下部に開口する吹出部に、前後もしくは上下方向に分割された風向板を回転可能に配置し、運転停止時には前部風向板と後部風向板を介して吹出部を封鎖し、運転時には前部風向板と後部風向板を所定の角度に開放する空気調和機において、前部風向板を、回転支持部を有するベース部と、このベース部の閉じた状態の表面に取り付けられる透明部とを含んで構成し、前記透明部は、前部風向板の回動する先端部側をベース部の先端部より張り出して形成され、前記ベース部と重ねられる前記透明部の裏面に不透明処理部を有することを特徴とする。
【発明の効果】
【０００９】
本発明によれば、前部風向板を、透明部を含んで構成するので、前部風向板の動作に伴う圧迫感を軽減することができる。
【図面の簡単な説明】
【００１０】
【図１】この発明の第１実施例に係る空気調和機の室内機の概略説明図である。
【図２】この発明の第１実施例に係る空気調和機の室内機の外観図である。
【図３】この発明の第１実施例に係る空気調和機の風向板の外観図である。
【図４】この発明の第１実施例に係る空気調和機の室内機の動作状態を示す断面図である。
【図５】この発明の第２実施例に係る空気調和機の風向板の外観図である。
【図６】この発明の第２実施例に係る空気調和機の風向板の部品展開図である。
【図７】この発明の第２実施例に係る空気調和機の室内機の縦断面図である。
【図８】この発明の第２実施例に係る空気調和機の室内機の外観図である。
【図９】この発明の第３実施例に係る空気調和機の風向板の外観図である。
【図１０】この発明の第３実施例に係る空気調和機の風向板の部品展開図である。
【図１１】この発明の第３実施例に係る空気調和機の前部風向板の詳細図である。
【図１２】この発明の第３実施例に係る空気調和機の室内機の縦断面図である。
【図１３】この発明の第３実施例に係る空気調和機の室内機の外観図である。
【図１４】この発明の第３実施例に係る空気調和機の室内機の外観図である。
【発明を実施するための形態】
【００１１】
以下、図１から図１４を参照して、この発明に係る空気調和機の室内機を具体的に説明する。ここで、図１から図４が第１実施例に係る空気調和機を示し、図５から図８が第２実施例に係る空気調和機を示し、図９から図１４が第３実施例に係る空気調和機を示している。なお、同様な部位や矢印などは同一符号をもって示し、重複した説明を省略する。
（第１実施例）
図１から図４を参照して、この発明の第１実施例に係る空気調和機の室内機を具体的に説明する。ここで、図１は、この実施例に係る空気調和機の室内機の概略説明図であり、（ａ）図が運転動作時の外観斜視図、（ｂ）図は運転停止時の要部縦側面図、（ｃ）図が運転時の縦断面図である。図２は、この発明に係る空気調和機の室内機の外観図であり、（ａ）図が正面図、（ｂ）図が運転停止時の右側面図、（ｃ）図がフロントパネルを開放した状態の右側面図、（ｄ）図が運転停止時の斜視図である。図３は、この発明に係る空気調和機の風向板の外観図であり、（ａ）図が正面図、（ｂ）図が側面図である。図４は、この発明に係る空気調和機の室内機の動作状態を示す断面図であり、（ａ）図が運転停止時の要部縦断面図、（ｂ）図が運転時の要部縦断面図である。
【００１２】
先ず、図１を参照して、この実施例に係る空気調和機の概略構造を説明する。図１において、この実施例に係る空気調和機は、圧縮機を備えて屋外に設置される図示しない室外機と、送風ファンを備えて室内の壁面に取り付けられる室内機１とを図示しない冷媒配管を介して接続することで、室内機１による冷暖房を可能にするものである。
【００１３】
この室内機１は、奥行寸法より高さ寸法が大きく、この高さ寸法より横幅寸法が大きい横長の筺体１０を備えている。この筺体１０は、筺体１０の上面に形成される上部吸込部２０と、筺体１０の前面上部に形成される前部吸込部４０とから取り込んだ空気を筺体１０の下面の前部に形成される吹出部６０から吹き出す空気流路１３が内部に形成されている。そして、この空気流路１３の中央に位置するように、その長手方向をこの筺体１０の長手方向と一致するように配置される貫流ファン１１と、この貫流ファン１１の前方と上部を覆うように配置される熱交換器１２とが内蔵されている。
【００１４】
即ち、（ｃ）図に示すように、筺体１０のほぼ中央に配置される貫流ファン１１の前後には、前部ドレン皿１４と、後部ドレン皿１５が設けられ、この前部ドレン皿１４と後部ドレン皿１５を跨いで貫流フアン１１の上部を覆うように熱交換器１２が配置されている。
【００１５】
また、この実施例の室内空気の取り入れ口は、常に開放して設けられる上部吸込部２０と、可動パネル４１が開閉可能に設けられる前部吸込部４０とから構成される。この実施例では、（ｃ）図に示すように、断面形状がほぼ四角形の形状を備えているので、上部吸込部２０は、ほぼ水平な上面に設けられ、前部吸込部４０は、ほぼ垂直な筺体前面の上部３／５程度の大きさをもって形成される。そして、この実施例では、筺体前面の上部に形成される前部吸込部４０を、可動パネル４１を介して、開閉する構造を備えている。
【００１６】
また、可動パネル４１は、板状の部材で形成され、その下端部はパネル回転軸４２を介して回転可能に取り付けられ、その上部は、筺体１０内に設けられるパネル駆動機構部４３と接続されている。この構造によれば、パネル駆動機構部４３を動作させることにより、可動パネル４１を、パネル回転軸４２を中心に、その上部を揺動させることができるから、（ｂ）図に示すように前部吸込部４０を閉じた状態と、（ｃ）図に示すように前部吸込部４０を開放させた状態とを取らせることができる。
【００１７】
また、（ｃ）図に示すように、吹出部６０は、貫流ファン１１から吹き出される空気を前方に吹き出せるように、貫流ファン１１と前部ドレン皿１４の下方を大きく開放するように、筺体１０の長手方向に沿って形成される。この吹出部６０には、前部風向板６２と後部風向板６３とからなる風向板６１が設けられている。この風向板６１は、図示しない風向板駆動機構部を介して、（ｂ）図に示すように、吹出部６０を閉じた状態と、（ｃ）図に示すように、吹出部６０を開放して空気流を所定の方向に案内するように所定の角度に動作させることができる。
【００１８】
この実施例では、貫流ファン１１やパネル駆動機構部４３及び風向板駆動機構部などは、筺体１０内に設けられる図示しない制御部によって統括制御され、また、この制御部は図示しない遠隔操作装置によって操作指示を受け付けることができる。
【００１９】
そして、この実施例に係る制御部は、運転停止状態では、（ｂ）図に示すように、可動パネル４１と風向板６１を閉じて、前部吸込部４０と吹出部６０を隠蔽するように制御し、運転状態では、（ｃ）図に示すように、可動パネル４１と風向板６１を開放するように制御する。したがって、この実施例の運転状態では、貫流ファン１１を動作させることにより、上部吸込部２０と大きく開放した前部吸込部４０から室内空気を取り込んで、熱交換器１２を介して温風または冷風あるいは除湿を行い、この熱交換された室内空気を運転モードに対応して所定角度に開放した風向板６１に従って吹き出すことができる。
【００２０】
そして、この実施例に係る空気調和機１の大きな特徴の１つは、吹出部６０に設けられる前部風向板６２を閉じた状態において、可動パネル４１を備えた前部吸込部４０と、前部風向板６２を備えた吹出部６０との間に形成される筺体面１６を隠蔽するように、前部風向板６２を筺体面１６の前方に収納した点にある。
【００２１】
即ち、従来の吹出部６０に設けられる風向板６１は、前部風向板６２と後部風向板６３を備えているものの、この一対の風向板６１は、閉じた状態で、吹出部６０を覆う構造としている。しかも、閉じた状態の風向板６１は吹出部６０の周囲の筺体面と凹凸なく連続するように面一とするのが一般的である。また、他の従来例には、吹出部６０を前部吸込部４０の下端部まで延長し、この凹状の吹出部６０の内部壁面に人体センサを設けて、風向板６１の閉じた時に、この人体センサを備えた内部壁面を風向板６１で覆う構造としたものが知られている。しかし、人体センサを備えた内部壁面は開口した凹状の吹出部６０に連続して形成されるものであり、従来の技術思想の範囲内である。しかも、人体センサを備えた内部壁面を閉じた状態で隠蔽する風向板６１は、吹出部６０の周囲の筺体面と凹凸なく連続するように面一とする従来の一般的な構造を採用している。
【００２２】
一方、風向板６１は奥行き方向に大きくすると、吹出部６０から吹き出される空気流を遠くへ送風することができるが、風向板６１を大きくすると、運転停止時の収納場所に課題が残る。また、一方、下端部をパネル回転軸４２とする風向板６１は、その構造上、この風向板６１の揺動に伴うパネル回転軸４２近傍の隙間が生じてしまうため、意匠的な課題が残る。つまり、パネル回転軸４２近傍の隙間は、閉じた状態と開放状態のどちらか一方をなくすようにすると他方に隙間が生じてしまう。
【００２３】
そこで、本発明は、可動パネル４１を備えた前部吸込部４０と、前部風向板６２とを備えた吹出部６０との間に形成される筺体面１６の前部を、この筺体面１６を覆う大きさを備えた前部風向板６２の収納スペースとすることを着想した。
【００２４】
筺体面１６は、前部ドレン皿１４の前部に位置するため、吸込部とするには不向きなスペースであり、この機能上デッドスペースとなる筺体面１６の前部に、大きな前部風向板６２を収納することができる。更に、このスペースを覆う大きな前部風向板６２を重ねるように収納すれば、この筺体面１６に隣接するパネル回転軸４２の近傍に隙間Ｑが存在しても、前部風向板６２の存在により目立たなくすることができる。
【００２５】
また、この実施例に係る空気調和機１の大きな特徴の他の１つは、可動パネル４１を開放した状態で、可動パネル４１の下端部と筺体面１６の上端部との間を連続した形状に設定し、可動パネル４１を閉じた状態で、この可動パネル４１の揺動にともなって生じる隙間が生じるように設定した点にある。
【００２６】
前記したように、この実施例では、前記第１の特徴を備えることにより、可動パネル４１を閉じた状態ではパネル回転軸４２近傍が目立たなくなるので、この目立たない可動パネル４１の閉じた状態で、揺動にともなって生じる隙間を生じさせることにより、パネル回転軸４２近傍が露出する可動パネル４１を開放した状態でのパネル回転軸４２近傍の整合性を向上させることができる。
【００２７】
また、この実施例に係る空気調和機１の大きな特徴の他の１つは、前部風向板６２に飾り部材６６を設けた点にある。
【００２８】
即ち、この実施例では、前記第１の特徴を備えることにより、運転停止状態において、前部風向板６２が筺体１０の最も目立つ位置に収納されることとなる。従来の風向板６１も閉じた状態では吹出部６０の覆う構造であるため意匠性が高い表面仕上げや造形面を工夫している。しかし、この実施例では、前部風向板６２が、従来の風向板６１よりもより目立つ存在であるため、閉じた状態で正面を構成する前部風向板６２の表面に飾り部材６６を設けるようにしている。つまり、停止状態において、風向板６１を、筺体と同化する表面を備えた後部風向板６３と、飾り部材６６を表面に設けた前部風向板６２とで構成している。
【００２９】
また、この実施例に係る空気調和機１の大きな特徴の他の１つは、前部風向板６２を、透明な素材で形成される飾り部材６６とした点にある。
【００３０】
即ち、風向板６１は奥行き方向に大きくすると、吹出部６０から吹き出される空気流を遠くへ送風することができる。しかし、前部風向板６２を大きくすると、その動作に伴って筺体１０から張り出し量が大きくなるので、使用者に圧迫感を与えてしまうという課題がある。
【００３１】
そこで、この実施例に係る空気調和機１では、少なくとも前部風向板６２を構成する飾り部材６６を透明樹脂材料や透明ガラスなどの透明部材で形成することにより、前記課題を軽減することができる。
【００３２】
また、この実施例に係る空気調和機１の大きな特徴の他の１つは、前部風向板６２を、透明な素材で形成される飾り部材６６と、この飾り部材６６の投影面積内に収まる大きさを備えた骨格ベース部６８とを含んで構成した点にある。
【００３３】
即ち、前部風向板６２を透明部材で形成すると、表面の透明部材を通して裏面側に形成される前部風向板回転軸６４や図示しない補強リブなどが見えてしまうという課題がある。
【００３４】
前記課題を解決するために、この実施例では、前部風向板回転軸６４や補強リブなどの機能的な構造を担う骨格ベース部６８と、この骨格ベース部６８に取り付けられる透明な飾り部材６６とを含んで前部風向板６２を構成することで、前部風向板回転軸６４や補強リブなどが骨格ベース部６８で隠蔽される構造を採用している。加えて、飾り部材６６を骨格ベース部６８より大きくすることにより、骨格ベース部６８の周囲に張り出した透明な飾り部材６６が目立たないので、圧迫感を軽減することができる。
【００３５】
また、この実施例では、骨格ベース部６８と接触する飾り部材６６の裏面に印刷を施すことにより、意匠性を向上するとともに、この接触部分を印刷で隠蔽することができる。しかも、この接触部分に両面テープを貼り付けることができるから飾り部材６６を骨格ベース部６８に簡単に取り付けることができる。
【００３６】
以下、図１から図４を参照して、更に詳細に説明する。
【００３７】
先ず、図１から図３を参照して、室内機１の詳細構造を更に説明する。この実施例の筺体１０は、この筺体１０の背面側を構成するバックカバー１００と、このバックカバー１００の前部に取り付けられるフロントカバー１１０と、前部吸込部４０を構成する吸込カバー１２０とを含んで構成される。図２に示すように、筺体１０の外観形状は、（ａ）図の正面図から見てほぼ横長四角形であり、また、（ｂ）図の側面図から見てもほぼ四角形の横長の箱形形状を基調としている。
【００３８】
バックカバー１００は、筺体１０内に配置される貫流ファン１１や熱交換器１２などの基本部品が取り付けられ、このバックカバー１００の前部をフロントカバー１１０で覆うことで室内機１の骨格を構成する。これにより、フロントカバー１１０の上面には、上部吸込部２０が形成され、フロントカバー１１０の下部には吹出部６０が形成される。
【００３９】
一方、吸込カバー１２０は、前部吸込部４０を構成するものであり、図１（ｃ）図に示す回転軸１２１を介して、その上端をフロントカバー１１０に回転可能に取り付けられる吸込フレーム１２２と、この吸込フレーム１２２の下端部にパネル回転軸４２を介して回転可能に取り付けられる可動パネル４１とから構成している。図２に示すように、吸込フレーム１２２の両側と上部は、前方に向かって傾斜した傾斜面１２４が形成されることで、可動パネル４１の周囲がツバ状に張り出す造形処理としているので、筺体１０の薄型感を創出するようにしている。
【００４０】
この実施例の吸込カバー１２０は、図２の（ｃ）図に示すように、吸込フレーム１２２の両側の下部の傾斜面１２４に設けたロックスイッチ１２３を操作することにより、上部の回転軸１２１を中心に、その下部を揺動して開閉することができる。この開閉機構により、前部吸込部４０と上部吸込部２０を覆う図示しない集塵フィルタの着脱を可能としている。しかも、ロックスイッチ１２３は、傾斜面１２４の凹状の傾斜を利用して、両側に大きく突出することなく、押下するストロークを確保しているので、誤操作を軽減しつつ、傾斜面１２４と同化させて意匠性を向上させている。
【００４１】
また、図１と図２に示すように、この筺体１０の正面の上下部は、後方に傾斜して形成される。これにより、筺体１０の全体のボリュームを軽減して、コンパクトな外観を実現している。特に、この実施例では、可動パネル４１の上端を揺動させる構造としているので、図１に示すように、可動パネル４１を開放した状態で、可動パネル４１の上端の圧迫感を軽減することができる。
【００４２】
さて、この実施例では、前部風向板６２の構造と形状が大きな特徴となっている。この前部風向板６２の外観形状を図３に示す。図３において、この実施例では、やや湾曲して形成される前部風向板６２を、不透明な骨格ベース部６８と、透明な飾り部材６６とで構成している。従来構造では、前部風向板６２を樹脂の一体成形で構成しているが、この実施例の前部風向板６２では、骨格ベース部６８と飾り部材６６とを貼り合わせた構造としている。これにより、水滴などを防ぐ植毛や強度部材のリブなどを骨格ベース部６８に設けても透明な飾り部材６６に影響を与えるのを軽減することができる。そして、骨格ベース部６８と別部材の飾り部材６６とを組み合わせることで、材質感の違いが表現できるのに加えて、裏面印刷や裏面凹凸模様などの意匠性を高める造形処理を可能としている。
【００４３】
また、この実施例では、透明な飾り部材６６の周囲を骨格ベース部６８の周囲からツバ状に張り出させることにより、風向機能の面積を確保しつつ、その大きさを目立たなくして、運転時の圧迫感を軽減している。
【００４４】
図１に戻り、前記したように、この実施例では、前部風向板６２と後部風向板６３からなる一対の風向板６１を吹出部６０に設けている。前部風向板６２は、吹出部６０の前方に配置される前部風向板回転軸６４を中心に回転可能に設けられ、後部風向板６３は、吹出部６０の後方に配置される後部風向板回転軸６５を中心に回転可能に設けられる。前部風向板６２の奥行き寸法ｄ１は後部風向板６３の奥行き寸法ｄ２より小さくし形成されている。後部風向板６３の奥行き寸法ｄ２は、後部風向板６３を閉じた状態で前部風向板回転軸６４（前部風向板６２の後端部）までを覆う大きさを備え、前部風向板６２の奥行き寸法ｄ１は、前部風向板６２を閉じた状態で、前部吸込部４０と吹出部６０との間に形成される筺体面１６を覆う大きさを備えている。
【００４５】
また、前部風向板６２の横幅ｗ１は、後部風向板６３の横幅ｗ２より大きく設定されている。この実施例の後部風向板６３は、吹出部６０から吹き出される空気流のガイドの機能と、閉じた時に吹出部６０を隠蔽する機能を備えている。このため、後部風向板６３の横幅ｗ１は、吹出部６０の前部を覆うことができる大きさに設定している。
【００４６】
一方、この実施例の前部風向板６２は、吹出部６０から吹き出される空気流のガイドの機能と、可動パネル４１のパネル回転軸４２近傍を目立たなくする化粧部材の機能を備えている。図２に示すように、この実施例の可動パネル４１は、正面を上下に分割するように、正面の上部全体を覆う構造としているため、パネル回転軸４２近傍の隙間Ｑは、筺体１０の横幅一杯まで生じる。
【００４７】
そこで、この実施例では、前部風向板６２の横幅ｗ１を、可動パネル４１の下部に隣接して形成される筺体面１６を覆う大きさ、即ち、筺体１０の横幅とほぼ同じ大きさに設定している。
【００４８】
ここで、この実施例では、筺体面１１０の片側に、図示しない遠隔操作機との間で操作信号を送受信する信号送受信部が設けられている。このため、前部風向板６２の片側には、閉じた時に、この信号送受信窓１７を露出させる開口部６７（または透明な窓）を設けている。
【００４９】
次に、図１と図４を参照して、この実施例に係る空気調和機の動作方法を説明する。前記したように、この実施例に係る空気調和機は、筺体１０に設けた図示しない制御部により各種の装置が統括制御される。
【００５０】
先ず、制御部は、運転停止状態においては、パネル駆動機構部４３と図示しない風向板駆動機構部を動作させて、図４（ａ）図に示すように、可動パネル４１と風向板６１を閉じた状態とする。
【００５１】
即ち、可動パネル４１は、パネル回転軸４２を中心に前部吸込部４０を封鎖するように筺体１０の前部に折りたたまれて収納されている。この際、可動パネル４１の下端部と、筺体面１６の上端部との間には、可動パネル４１の揺動にともなって生じる隙間Ｑ１が生じるように設定されている。
【００５２】
一方、前部風向板６２は、前部風向板回転軸６４を中心に、筺体面１６を隠蔽するように、筺体面１６の前部に折りたたまれて収納される。ここで、室内機１は、壁面の上方に設置されるので、利用者の視線は、（ａ）図の矢印に示すように、室内機１を見上げることとなる。したがって、パネル回転軸４２近傍に生じる隙間Ｑ１は、筺体面１６の前方に収納される風向板６１の後方の位置となるので、風向板６１の存在により視認し難くなる。
【００５３】
特に、この実施例では、前部風向板６２の周囲に透明な飾り部材６６が張り出しているので、この透明な飾り部材６６を通して隙間Ｑ１が利用者に見られるので、隙間Ｑ１の存在が目立たなくなる。むしろ、飾り部材６６の意匠的効果により、その周囲の形態は、飾り部材６６の存在により目立たなくなる。
【００５４】
一方、制御部は、図示しない遠隔操作機からの運停止時を受け付けると、パネル駆動機構部４３と図示しない風向板駆動機構部を動作させて、図４（ｂ）図に示すように、可動パネル４１と風向板６１を開放状態とする。
【００５５】
即ち、可動パネル４１は、パネル回転軸４２を中心に前部吸込部４０を開放するように、その上部を前方に開放する。この際、可動パネル４１の下端部と、筺体面１６の上端部との間に生じていた隙間Ｑ１を塞ぐように動作させる。そして、この実施例では、開放時の可動パネル４１の表面が筺体面１６の表面と連続する平面を形成するように設定している。
【００５６】
一方、前部風向板６２は、図４（ｂ）図に示すように、前部風向板回転軸６４を中心に、他端を開いて、あらかじめ設定されている運転モードに対応した角度まで開放する。
【００５７】
このように、この実施例の運転状態では、図１の（ａ）図に示すように、運転に伴う前部風向板６２の開放動作にともなって大きく露出する筺体面１６を、前方に開放した可動パネル４１の表面と連続する平面造形とすることができるので、壁面を主体とする室内空間に馴染ませることができる。しかも、この連続した平面は、可動パネル４１の上端を傾斜面とすることにより、圧迫感が軽減される。更にまた、前部風向板６２は、その大きな奥行き寸法ｄ１により、前方への風向制御と両側への風向制御が良好となる。
【００５８】
更に、この実施例に係る空気調和機は、可動パネルを備えた吸込部と、風向板を備えた吹出部とを筺体面を挟んで上下に配置した室内機を備えたものであって、前記可動パネルは、パネル開閉機構部を介して、前記吸込部の下端部に設けたパネル回転軸を中心に、揺動可能に取り付けられ、前記風向板は、風向板駆動機構部を介して、前記パネル回転軸の下方に設けられる風向板回転軸を中心に揺動可能に取り付けられ、前記パネル開閉機構部は、運転状態では前記吸込部を開放するように可動パネルを動作させ、かつ、運転停止状態では前記吸込部を隠蔽するように動作させ、前記可動パネルの下端部と前記筺体面の上端部は、前記揺動にともなって生じる隙間を前記運転状態で隠蔽するように形成され、前記風向板駆動機構部は、運転状態では前記吹出部を開放するように風向板を動作させ、かつ、運転停止状態では前記吹出部と前記筺体面を隠蔽するように、前記筺体面の前方に風向板を位置させる。
【００５９】
この場合、前記風向板は、運転停止状態で前面となる表面に透明な装飾部材を備えるようにするとよい。また、前記風向板は、筺体の横幅と一致する横幅を備えるようにするとよい。
【００６０】
この実施例によれば、可動パネルの揺動に伴って生じるパネル回転軸近傍の隙間を、筺体面が露出する運転状態では塞いで運転時の意匠性を向上させる一方、停止時には、可動パネルを閉じることにともなって生じるパネル回転軸近傍の隙間を風向板で隠蔽することができるから、可動パネルの開閉に伴って回転軸の近傍に生じる凹凸を目立たなくすることができる。
（第２実施例）
次に、図５から図８を参照して、この発明の第２実施例に係る空気調和機の室内機を具体的に説明する。ここで、図５は、この発明の第２実施例に係る空気調和機の風向板の外観図であり、（ａ）図が部分正面図、（ｂ）図は側面図である。図６は、この発明の第２実施例に係る空気調和機の風向板の部品展開図である。図７は、この発明の第２実施例に係る空気調和機の室内機の縦断面図である。図８は、この発明の第２実施例に係る空気調和機の室内機の外観図であり、(ａ)図が風向板を閉じた状態の正面図、（ｂ）図が風向板を開放した状態の正面図である。なお、第１実施例と同様な部位や矢印などは同一符号をもって示して、重複した説明を省略する。
【００６１】
先ず、図５を参照して、この実施例に係る前部風向板の概略構造を説明する。図５において、この実施例に係る前部風向板６２ａは、透明な素材で形成される飾り部材６６ａと、この飾り部材６６ａの投影面積内に収まる大きさを備えた骨格ベース部６８ａとを含んで構成している。
【００６２】
そして、この実施例の大きな特徴の１つは、前部風向板６２ａの先端部側に飾り部材６６ａを大きく張り出して形成した点にある。
【００６３】
即ち、この実施例の骨格ベース部６８ａは、奥行き寸法ｄ３を備えた薄い板状のベース本体６９の両側と中央に、奥行き方向の一方の端部側に傾斜しながら伸びるアーム部７０を形成し、そのアーム部７０の端部に前部風向板回転軸６４を形成している。また、各アーム部７０の間にはベース本体６９と並べて配置される補助ルーバ７９が設けられている。なお、ベース本体６９の両端部には、他の端部側へ張出寸法ｄ４だけ張り出した張出部７１が形成されている。
【００６４】
一方、飾り部材６６ａは、奥行き寸法ｄ１を備えた透明な薄い部材である。この飾り部材６６ａは、アーム部７０側の端部をほぼ揃えて、他の端部側へ奥行き寸法ｄ５だけ骨格ベース部６８ａの端部より張り出して形成される。そして、飾り部材６６ａは、骨格ベース部６８ａと接触する裏面の範囲（ａ図に波模様で表現した接触面７２）に裏面印刷を施している。
【００６５】
つまり、この実施例の飾り部材６６ａは、裏面側を奥行き方向に対して２分割して、回転軸側となるアーム部７０側に裏面印刷を施し、前部風向板回転軸６４に対して先端側となる他端側を透明に形成している。これにより、意匠的に不要な骨格ベース部６８ａを見えなくする一方、前部風向板６２ａの先端部を透明にすることができるので、意匠性を向上しつつ、前部風向板６２ａの動作に伴う圧迫感を軽減することができる。例えば、透明部材の不透明処理部が、風向板を支持する軸部等を見えないように覆うことができ、更に人検知センサ、マイク等の付加機能部をみえなくすることができる。
【００６６】
なお、この実施例では、骨格ベース部６８ａと接触する裏面の範囲（ａ図に波模様で表現した接触面７２）に裏面印刷を施しているが、一対の張出部７１の間の部分にも裏面印刷を施すことができる。これにより、透明部分を同一幅の帯状として意匠性を高めることができる。
【００６７】
次に、図６を参照して、この実施例に係る前部風向板６２ａの組立構造を説明する。図６において、この実施例においては、飾り部材６６ａの奥行き方向の一端側を鋭角に形成して、この鋭角部７３を骨格ベース部６８ａの一端側に形成した嵌合溝７４に挿入して、両面テープ７５を介して飾り部材６６ａと骨格ベース部６８ａを接着する。骨格ベース部６８ａの接触面７２には、両面テープ７５の厚みを吸収する図示しない凹部が設けられ、飾り部材６６ａと骨格ベース部６８ａとを隙間なく接着することができる。この構造によれば、骨格ベース部６８ａの存在を飾り部材６６ａにより隠して両部材を取り付けることができる。特に、飾り部材６６ａを樹脂材料で形成する場合、取付部などを飾り部材６６ａの裏面に形成するとヒケやウエルドなどが発生して意匠性を阻害するばかりか、裏面印刷をし難い構造となる。また、骨格ベース部６８ａに取付部などを形成すると、この取出部が飾り部材６６ａの周囲に飛び出して、意匠性を阻害する要因ともなる。
【００６８】
この実施例の構造は、前記課題を解決することができる。しかも、この取付構造によれば、飾り部材６６ａをシンプルな構造とすることができるので、ガラス材料でも対応することができる。また、この実施例では、両面テープ７５の接着で、両部材を堅固に固定することができる。しかし、更なる安全性を図るために、飾り部材６６ａを貫通する固定ピン７６を張出部７１に取り付けている。加えて、この実施例では、軽量化を図るために飾り部材６６ａを透明や樹脂材料で形成しているが、固定ピン７６を設けることにより、飾り部材６６ａをガラス材料で形成しているように意匠的に見せることができる。これにより、壁面やガラス材料で形成される室内環境に調和するデザインとすることができる。
【００６９】
次に、図７と図８を参照して、この実施例に係る前部風向板６２ａを備えた空気調和機１ａの特徴的な構造を説明する。
【００７０】
即ち、図７に示すように、この実施例では、運転停止状態において、第１実施例と同様に、前部吸込部４０の前部を覆う可動パネル４１の下端部に隣接して前部風向板６２ａを収納することができる。したがって、この前部風向板６２ａの収納状態では、前部風向板６２ａの先端部が透明に形成されているために、この透明部を介して、隙間Ｑ１の下端を構成する筺体面１６を利用者に視認させることができる。この実施例では、運転状態でも運転停止状態でも利用者から視認できる前記筺体面１６に運転状態表示部７７を設けることができる。この構造によれば、運転停止時でも運転状態表示部７７が透明部材で覆われているので、タイマー予約等の必要な情報の確認を行えるとともに、シンプルなデザインとすることができる。
【００７１】
この特徴点を図８で更に説明する。図８（ａ）図に示すように、この実施例では、運転停止状態において、前部風向板６２ａの先端部に飾り部材６６ａを通して視認可能な筺体面１６に帯状の機器配置面７８を形成することができる。したがって、この実施例によれば、（ｂ）図に示すように、この前部風向板６２ａの動作に左右されることなく視認可能な機器配置面７８に表示や各種センサを設けることができる。この実施例では、機器配置面７８に運転状態表示部７７を、その長手方向に沿って配置している。なお、この実施例では、運転時に動作させる人体センサ８０とマイク８１と輻射センサ８２は、前部風向板６２ａで隠蔽される筺体面１６に配置している。
【００７２】
また、この実施例では、隙間Ｑ１が飾り部材６６ａを介して視認することができるが、前記第１実施例と同様の作用効果により、その隙間Ｑ１は目立たなく作用する。
【００７３】
このように、この第２実施例では、第１実施例と同様に、前部風向板６２ａを透明樹脂材料で形成し、あるいは前部風向板の回動する先端部を透明樹脂材料で形成し、あるいは前部風向板を、透明パネル部と、この透明パネル部の投影面積内に収まる大きさを備えた回転支持部を有するベース部とを含んで構成する。したがって、この実施例によれば、前部風向板が透明部を含んで構成されるので、前部風向板の動作に伴う圧迫感を軽減することができる。
（第３実施例）
次に、図９から図１４を参照して、この発明の第３実施例に係る空気調和機の室内機を具体的に説明する。ここで、図９は、この発明の第３実施例に係る空気調和機の前部風向板の外観図であり、（ａ）図が部分正面図、（ｂ）図は側面図である。図１０は、この発明の第３実施例に係る空気調和機の前部風向板の部品展開図である。図１１は、この発明の第３実施例に係る空気調和機の前部風向板の詳細図であり、（ａ）図は飾り部材の斜視図、（ｂ）図と（ｃ）図は前部風向板の部分断面図である。図１２は、この発明の第３実施例に係る空気調和機の室内機の縦断面図である。図１３は、この発明の第３実施例に係る空気調和機の室内機の外観図であり、(ａ)図が風向板を閉じた状態の正面図、（ｂ）図が風向板を開放した状態の正面図である。図１４は、この発明の第３実施例に係る空気調和機の室内機の外観図であり、（a）図が運転停止時の右側面図、（ｂ）図が運転動作時の右側面図である。なお、第１、第２実施例と同様な部位や矢印などは同一符号をもって示して、重複した説明を省略する。
【００７４】
先ず、この実施例の大きな特徴の1つは、両面テープ７５を用いることなく、第２実施例の前部風向板６２ａと同様な構造の前部風向板６２ｂを備えた点にある。
【００７５】
即ち、この実施例に係る前部風向板６２ｂは、飾り部材６６ｂの回転軸側となる後端部に、骨格ベース部６８ｂの一部を構成する帯状の張出部８３を露出させ、この張出部８３によって形成される嵌合溝７４に飾り部材６６ｂの後端部を嵌合して取り付け、他端側となる飾り部材６６ｂの先端部の両側を固定ピン７６で骨格ベース部６８ｂに固定することにより、両面テープ７５を用いることなく、骨格ベース部６８ｂに飾り部材６６ｂを歪みなく取り付けて、意匠的にも、構造的にも良好な前部風向板６２ｂを提供するものである。
【００７６】
この実施例では、前記特徴的な構造を実現するために、アーム部７０を備えた骨格ベース部６８ｂと、この骨格ベース部６８ｂの先端側（アーム部７０と対向する側）に大きく張り出して取り付けられる透明な素材で形成される飾り部材６６ｂと含んで構成している。
【００７７】
この実施例の骨格ベース部６８ｂは、奥行き寸法ｄ３を備えた薄い板状のベース本体６９の裏面側の両側と中央に、奥行き方向の一方の端部側に傾斜しながら伸びるアーム部７０を形成し、そのアーム部７０の端部に前部風向板回転軸６４を形成している。また、ベース本体６９の正面のアーム部７０側の端部となる辺部には、奥行き寸法ｄ７を備えた細い帯状の張出部８３が前方に張り出すように形成され、その内側に嵌合溝７４が形成されている。そして、ベース本体６９の正面のアーム部７０と対向する側の端部の両側には、張出寸法ｄ４だけ張り出した張出部７１が形成されている。
【００７８】
一方、飾り部材６６ｂは、前部風向板６２ｂの奥行き寸法ｄ１とほぼ同じ奥行き寸法を備えた透明な薄い部材で構成する。この飾り部材６６ｂは、奥行き方向の一端を前記張出部８３によって形成される嵌合溝７４に取り付けられ、他の端部側へ奥行き寸法ｄ５だけ骨格ベース部６８ｂの端部より張り出して形成される。そして、飾り部材６６ｂは、先端部に帯状の透明領域８４を残して、他の骨格ベース部６８ｂと接触する裏面の範囲を含む部分（ａ図に波模様で表現した部分）に裏面印刷を施している。なお、この実施例の前部風向板６２ｂは、運転停止状態で露出する面を不透明な張出部８３と、飾り部材６６ｂとで面一となるように形成される。
【００７９】
このように、この実施例の前部風向板６２ｂは、運転停止状態で露出する面が、前後に３分割され、その中央に裏面印刷が施された透明部分が配置され、これを先端部の帯状の透明領域８４と、不透明な張出部８３とで挟んだ構造としている。これにより、意匠的に不要な骨格ベース部６８ａを隠蔽する一方、前部風向板６２ａの先端部を透明にすることができるので、意匠性を向上しつつ、前部風向板６２ａの動作に伴う圧迫感を隠蔽することができる。
【００８０】
次に、図１０を参照して、この実施例に係る前部風向板６２ｂの組立構造を説明する。図１０において、この実施例においては、飾り部材６６ｂの奥行き方向の一端側に、肉厚を薄く形成した嵌合部８５を形成し、この嵌合部８５を骨格ベース部６８ｂの一端側に形成した嵌合溝７４に挿入して固定し、他端側の両側を固定ピン７６を介して張出部７１に取り付ける構造を採用している。
【００８１】
前記第２実施例では、骨格ベース部６８ａと飾り部材６６ａとの主たる接合を、嵌合溝７４と鋭角部７３との嵌合と、両面テープ７５の接着で行っていた。しかし、この構造では、両面テープ７５による広い接着面が必要になるため、両部材の広い接触面７２が必要になることから、骨格ベース部６８が大型化してしまう課題がある。
【００８２】
そこで、この実施例では、嵌合部８５を嵌合する嵌合溝７４を深く形成することにより、嵌合部８５と嵌合溝７４との接合をより確かのものとして保持させ、嵌合部８５と対向する端部側の両側を固定ピン７６で固定する構造を採用する。この構造によれば、両部材の主たる接合を嵌合部８５と嵌合溝７４で行い、前部風向板６２ｂの両端を固定ピン７６により留める構造としているので、ベース本体６９の奥行き寸法ｄ３を小さくすることができる。これにより、骨格ベース部６８ｂを小型化して、その先端に張り出す飾り部材６６ｂを大きくすることができるから、前部風向板６２ｂの回転動作に伴う圧迫感を軽減できるとともに、飾り部材６６ｂの展開範囲を多様に図って意匠性を向上させることができる。
【００８３】
また、この実施例では、張出部８３を両側に空き領域８６を残して中央よりに形成し、固定ピン７６を、この空き領域８６の範囲内に設けた３点支持構造を採用している。これにより、張出部８３の両端部が飾り部材６６ｂにより隠されるので、意匠性を向上することができる。したがって、この３点支持構造によれば、前部風向板６２ｂの長手方向の中央部となる細い部分（奥行き寸法ｄ３）を2つの部材の嵌合により歪みを軽減して保持し、更に長手方向の両端で奥行き寸法が取れる位置（張出部７１）を固定ピン７６で保持することにより、長手方向に対する反りや捻じれを軽減して、２つの部材の接合をより確かのものとすることができる。
【００８４】
また、この実施例では、張出部８３の横幅を図１３（ａ）図に示すように吹出部６０（後部風向板６３）の横幅に合わせることにより、飾り部材６６ｂの中に露出する張出部８３の存在を違和感なくすることが表現することができる。
【００８５】
図１０に戻り、しかも、この実施例では、骨格ベース部６８の長手方向の両端部にも飾り部材６６ｂを張り立たせているので、骨格ベース部６８の隠蔽性をより高めて、意匠性を向上することができる。このように、この実施例の前部風向板６２ｂは、前部風向板回転軸６４側に細い帯状の不透明な張出部８３が形成されるものの、他の前部風向板６２ｂの殆どは透明部材で形成されるため、前記第２実施例と同様な作用効果を得ることができる。
【００８６】
この実施例では、２重構造の前部風向板６２ｂの組立性をより高めるために、更なる工夫を凝らしている。この工夫点を図１１で説明する。
【００８７】
図１１において、この実施例に係る前部風向板６２ｂは、横幅方向に長い２つの部材を組み合わせる構造を採用しているため、組み立て時の位置合わせに課題がある。特に、この実施例では、長手方向の両端を固定ピン７６で固定するため、位置合わせがうまくいかないと固定ピン７６を取り付けることができなくなる。
【００８８】
そこで、この実施例では、（ａ）図に示すように、嵌合溝７４に挿入されることによって隠蔽される飾り部材６６ｂの挿入領域８７に複数の切欠部８８を形成し、嵌合溝７４には、（ｂ）図に示すように、この切欠部８８と嵌合する複数のリブ８９を形成し、この切欠部８８をリブ８９に挿入することにより、長手方向の位置合わせを行うことができる。しかも、切欠部８８は、その開放部が扇状に開いた形状を備えているため、複数の切欠部８８とリブ８９の接合であっても簡単に挿入することができる。
【００８９】
また、この実施例では、嵌合溝７４を複数のリブ８９で仕切ることにより、飾り部材６６ｂを受ける深い嵌合溝７４の開きを軽減して、２つの部材の嵌合強度を維持させることもできる。
【００９０】
また、（ｃ）図に示すように、この実施例では、挿入領域８７の先端部の長手方向の所定の位置に嵌合ツメ９０を形成し、嵌合溝７４には、この嵌合ツメ９０と嵌合する嵌合穴９１を形成することで、骨格ベース部６８ｂから飾り部材６６ｂが簡単に外れない構造を採用している。特に、この実施例では、２つのリブ８９の間に嵌合穴９１を形成することで、嵌合ツメ９０を備えた挿入領域８７であっても樹脂の弾性を利用して挿入しやすく、逆に、樹脂の弾性により２つの嵌合が外れにくい構造としている。
【００９１】
次に、図１２から図１４を参照して、この実施例に係る前部風向板６２ｂを備えた空気調和機１ｂの特徴的な構造を更に説明する。
【００９２】
即ち、図１２に示すように、この実施例では、停止状態において、第１や第２実施例と同様に、前部吸込部４０の前部を覆う可動パネル４１の下端部に隣接して前部風向板６２ｂを収納することができる。したがって、この前部風向板６２ｂの収納状態では、前部風向板６２ｂの先端部が透明に形成されているために、この透明領域８４を介して、隙間Ｑ１の下端を構成する筺体面１６を利用者に視認させることができる。この実施例では、運転状態でも停止状態でも利用者から視認できる前記筺体面１６に運転状態表示部７６を設けることができる。
【００９３】
この特徴点を図１３で更に説明する。図１３（ａ）図に示すように、この実施例では、第２実施例と同様に、運転停止状態において、前部風向板６２ｂの先端部に飾り部材６６ｂを通して視認可能な筺体面１６に帯状の機器配置面７７を形成することができる。したがって、この実施例でも、（ｂ）図に示すように、この前部風向板６２ｂの動作に左右されることなく視認可能な機器配置面７７に表示や各種センサを設けることができる。機器配置面７７の配置については、第２実施例と同様につき省略する。
【００９４】
図１４において、この実施例では、隙間Ｑ１が飾り部材６６ｂを介して視認することができるが、前記第２実施例と同様の作用効果により、その隙間Ｑ１は目立たなく作用することができる。特に、この実施例では、可動パネル４１の開放動作をより簡便にするために、（ａ）図に示す運転停止状態では、隙間Ｑ１が大きく形成され、（ｂ）図に示す運転状態では、この大きな隙間Ｑ１に可動パネル４１の下端部が入り込む構造を採用している。更に、可動パネル４１の開く角度は、筺体面１６の傾斜角度から前方に傾斜した角度としている。
【００９５】
したがって、この実施例では、（ａ）図に示す運転停止状態では、第１実施例と同様な作用効果が得られるものの、（ｂ）図に示す運転状態では、筺体面１６と可動パネル４１との間に段差が生まれてしまう。しかし、この運転状態では、矢印に示す利用者からの目線では、隙間Ｑ１が筺体面１６と可動パネル４１とを分断する１本の分割線として認識されるため、意匠性を損なうことがない。
【００９６】
また、この実施例では、透明な飾り部材６６ｂの先端部に面取り部９２を形成している。この結果、面取り部９２のプリズム効果により、可動パネル４１の回動による隙間Ｑ１を目隠しすることができ、下側から約３０度の視線で見上げた状態で、隙間Ｑ１周辺の稜線の数を減らすことができる。さらに、透明な飾り部材６６ｂの先端部の形状を直線以外形状で面取り部９２を形成してもよい。例えば、先端に近づくにつれてＲ形状を小さくすることで、透明材の概観の変化を少なくしながら隙間Ｑ１周辺の稜線を目立ち難くすることができる。
【００９７】
このように、この実施例によれば、骨格ベース部６８ｂの幅全域または中央部分に透明な飾り部材６６ｂを固定する嵌合溝７４を設け、この嵌合溝７４の範囲内で飾り部材６６ｂを固定する爪構造を採用することができる。更に、この実施例では、骨格ベース部６８ｂと飾り部材６６ｂの左右の位置決め方法として、骨格ベース部６８ｂで隠れる部分（挿入領域８７）に骨格ベース部６８ｂ側からのリブ８９と飾り部材６６ｂ側の切欠部８８を設けて、飾り部材６６ｂを骨格ベース部６８ｂの左右位置決めする手法を採用することができる。また、骨格ベース部６８ｂの嵌合溝７４の一部にリブ８９を設ける事で、飾り部材６６ｂを受ける嵌合溝７４の開きを防止することができる。また、骨格ベース部６８ｂと飾り部材６６ｂの重なっている面で共通な形状の穴を貫通させ、貫通部に固定ピン７６等の固定部品で位置決め、固定を行うことができる。
【００９８】
そして、上記構造を採用することにより、本体取付け構造を有した骨格ベース部６８ｂに、凹凸形状の無い裏面に塗装・印刷を施し、固定ピン７６等で左右に固定部を設けた飾り部材６６ｂを取り付けることが可能となり、外観を損ねる要因を設けない固定方法で、意匠性向上を図ることができる。
【００９９】
特に、透明材料に塗装や印刷等の処理を施す場合、この処理面に、段差があると、塗装や印刷が綺麗にのらなく、さらに飾り部材６６ｂの表面から見えてしまう課題があるが、この実施例の飾り部材６６ｂは、骨格ベース部６８ｂに取り付ける範囲（挿入領域８７）以外の裏面については、 凹凸形状を設けないので、前記課題が解決される。
【０１００】
そして、この実施例では、飾り部材６６ｂの板厚が部分的に急に変わる形状を避けているため、樹脂成型品のイメージを減らして、ガラスのような材質感を得ることができる。
【０１０１】
なお、この第３実施例では、両面テープ７５を採用しない構造で説明したが、もちろん、第２実施例と同様に両面テープ７５を併用して使うことで、より堅牢な構造とすることができる。
【符号の説明】
【０１０２】
１…室内機、１０…筺体、１１…貫流ファン、１２…熱交換器、１３…空気流路、１４…前部ドレン皿、１５…後部ドレン皿、１６…筺体面、１７…信号送受信窓、２０…上部吸込部、４０…前部吸込部、４１…可動パネル、４２…パネル回転軸、４３…パネル駆動機構部、６０…吹出部、６１…風向板、６２…前部風向板、６２ａ…前部風向板、６２ｂ…前部風向板、６３…後部風向板、６４…前部風向板回転軸、６５…後部風向板回転軸、６６…飾り部材、６６ａ…飾り部材、６６ｂ…飾り部材、６７…開口部、６８…骨格ベース部、６８ａ…骨格ベース部、６８ｂ…骨格ベース部、６９…ベース本体、７０…アーム部、７１…張出部、７２…接触面、７３…鋭角部、７４…嵌合溝、７５…両面テープ、７６…固定ピン、７７…運転状態表示部、７８…機器配置面、７９…補助ルーバ、８０…人体センサ、８１…マイク、８２…輻射センサ、８３…張出部、８４…透明領域、８５…嵌合部、８６…空き領域、８７…挿入領域、８８…切欠部、８９…リブ、９０…嵌合ツメ、９１…嵌合穴、９２…面取り部、
１００…バックカバー、１１０…フロントカバー、１２０…吸込カバー、１２１…回転軸、１２２…吸込フレーム、１２３…ロックスイッチ、１２４…傾斜面、Ｑ１…隙間
【図１】
0005624828.tif 000002
【図２】
0005624828.tif 000003
【図３】
0005624828.tif 000004
【図４】
0005624828.tif 000005
【図５】
0005624828.tif 000006
【図６】
0005624828.tif 000007
【図７】
0005624828.tif 000008
【図８】
0005624828.tif 000009
【図９】
0005624828.tif 000010
【図１０】
0005624828.tif 000011
【図１１】
0005624828.tif 000012
【図１２】
0005624828.tif 000013
【図１３】
0005624828.tif 000014
【図１４】
0005624828.tif 000015